(57)【要約】【課題】リップ部を備えたパッキンが配設されている接続口部を塞いだ後、スペースを取らずに、容易に抜くことができる仮差し蓋体を提供すること。【解決手段】仮差し蓋体３０は、リップ部２３を有したパッキン２０を備える排水用配管の接続口部１７に対し、抜き可能に挿入して、接続口部に所定の管体を接続させるまでの間、接続口部を塞ぐ。仮差し蓋体は、接続口部内に嵌挿可能な外周面を有した蓋本体３２と、蓋本体に被せられて、蓋本体の接続口部への挿入端側に底部３４ｂを有して、蓋本体と一体的に、接続口部内に嵌挿可能な可撓性を有した袋状のカバー３４と、を備えてなる。カバーは、仮差し蓋体を接続口部から引き抜き可能としたパッキンの内周２０ａ側に対する滑り性、若しくは、仮差し蓋体の蓋本体を抜く際、蓋本体を接続口部から引き抜き可能とした蓋本体の外周面３２ａ側に対する滑り性、を有する。【選択図】図４
2017014779.tif 000002
【特許請求の範囲】
【請求項１】
内周側にリップ部を突出させた略円筒状のパッキンを設けて構成される排水用配管の接続口部に対し、抜き可能に挿入して、前記接続口部に所定の管体を接続させるまでの間、前記接続口部を塞いでおく仮差し蓋体であって、
前記接続口部内に嵌挿可能な円柱状の外周面を有した蓋本体と、
該蓋本体の周囲を覆うように配設される構成として、前記蓋本体の前記接続口部への挿入端側に底部を有し、前記蓋本体と一体的に、前記接続口部内に嵌挿可能な可撓性を有した袋状のカバーと、
を備えて構成されるとともに、
前記カバーが、
前記仮差し蓋体を前記接続口部内へ挿入した後に前記仮差し蓋体を抜く際、前記仮差し蓋体を前記接続口部から引き抜き可能とした前記パッキンの内周側に対する滑り性、若しくは、
前記仮差し蓋体を前記接続口部内へ挿入した後に前記仮差し蓋体の前記蓋本体を抜く際、前記蓋本体を前記接続口部から引き抜き可能とした前記蓋本体の外周面側に対する滑り性、
の少なくとも一方の前記滑り性、を有して構成されていることを特徴とする仮差し蓋体。
【請求項２】
前記カバーが、前記パッキンの内周側若しくは前記蓋本体の外周面側の少なくとも一方に対する前記滑り性を有した合成樹脂材料から形成されていることを特徴とする請求項１に記載の仮差し蓋体。
【請求項３】
前記排水用配管が、排水管継手として構成されるとともに、
前記接続口部が、前記排水管継手における前記管体としての横枝管を接続させる横枝管接続口部として構成されていることを特徴とする請求項１若しくは請求項２に記載の仮差し蓋体。
【請求項４】
前記横枝管接続部に接続される前記横枝管が、前記横枝管における前記横枝管接続口部から離れた側と接続される排水機器と、前記排水管継手と、を仕切る仕切り壁、を貫通して配設される構成として、
前記蓋本体と前記カバーとが、前記横枝管接続口部を閉塞するように前記横枝管接続口部に挿入された状態として、前記仕切り壁における前記排水機器側に突出する長さ寸法を有する構成としていることを特徴とする請求項３に記載の仮差し蓋体。
【請求項５】
前記カバーが、高密度ポリエチレンから形成されていることを特徴とする請求項１乃至請求項４のいずれか１項に記載の仮差し蓋体。
【請求項６】
前記カバーが、シート状若しくはチューブ状の高密度ポリエチレン製フィルムの所定の縁を溶着して袋状にすることにより、形成されていることを特徴とする請求項５に記載の仮差し蓋体。
【請求項７】
前記カバーが、網地状の合成樹脂材から形成されていることを特徴とする請求項１乃至請求項４のいずれか１項に記載の仮差し蓋体。
【請求項８】
前記蓋本体が、パイプ材から構成されるとともに、
該パイプ材の内周側が、前記袋状の前記カバーの底部、若しくは、前記パイプ材における前記接続口部から離れた端部側に取り付けられる閉塞材により、不透水性を有して閉塞される構成としていることを特徴とする請求項１乃至請求項７のいずれか１項に記載の仮差し蓋体。
【発明の詳細な説明】
【技術分野】
【０００１】
本発明は、排水用配管としての排水管継手等の接続口部に抜き可能に挿入しておき、大便器等の排水機器から延びる所定の管体を接続口部に接続させるまでの間、接続口部を塞いでおくための仮差し蓋体に関する。
【背景技術】
【０００２】
従来、排水用配管、例えば、集合住宅等の排水管継手には、立て管を接続させる立て管接続口部や横枝管を接続させる横枝管接続口部が設けられていた。これらの接続口部の内周面には、立て管や横枝管等の管体を挿入させて接続させる際のシール性を確保するために、略円筒状のパッキンが配設されていた。このパッキンには、内周面に、挿入する管体の外周面に圧接されて、シール性を高めるための薄肉のリップ部が、一条若しくは複数条、設けられていた。さらに、パッキンのリップ部は、接続口部に挿入させる管体の挿入作業が容易で、かつ、シール性を一層良好にするように、接続口部の元部側内方へ傾斜して設けられていた。しかし、パッキンのリップ部が、接続口部の元部側内方へ傾斜して設けられていることから、接続口部に挿入させて接続した管体を引き抜く際には、リップ部が、反転するようにめくれて管体の外周面に強く圧接される状態となって、管体を単に引っ張るだけでは、簡単に引き抜けない。
【０００３】
そのため、このようなパッキンを設けた接続口部を、大便器等の排水機器から延びる所定の管体を接続口部に接続させるまでの間、ゴミ等の異物が内部に侵入しないように、塞いでおく際には、接続口部の外周側を覆う紙コップ状のキャップが利用される場合があった（例えば、特許文献１参照）。
【０００４】
また、このようなパッキンを設けた接続口部内に挿入させるような蓋体としては、螺旋状の複数の突条を挿入部の外周に設けて、ねじ込みつつ、挿入させるものもあった（例えば、特許文献２参照）。
【０００５】
さらに、このようなパッキンを設けた接続口部内に挿入させた管体を引き抜く場合には、パッキンと管体との間に、複数のへら状の部材を入れて、簡単に引き抜けるようにする引き抜き治具もあった（例えば、特許文献３参照）。
【先行技術文献】
【特許文献】
【０００６】
【特許文献１】特開平１１−２９３７３１号公報
【特許文献２】特開２００１−２８９３９１号公報
【特許文献３】特開２００１−３００８６３号公報
【発明の概要】
【発明が解決しようとする課題】
【０００７】
しかし、従来の紙コップ状のキャップでは、接続口部の外周面がキャップの内周面と同等のテーパ状であれば、嵌めておくことができるものの、接続口部の外周面が、テーパ角度を浅くしていれば、外れ易くなってしまう。そのため、接続口部を塞ぐ蓋体としては、接続口部内に挿入して接続口部を塞ぐ蓋体が望まれる。
【０００８】
但し、既述の挿入部の外周面に螺旋状の突起を設けた蓋体や、引き抜き治具を利用するような蓋体では、接続口部に接近して、仕切り壁が施工され、その後、接続口部を塞いでいた蓋体を抜き、そして、排水機器と接続口部とを接続するように、管体を配設するような場合、仕切り壁が邪魔となって、接続口部に挿入した蓋体を、その接続口部から抜く作業が行ない難くなってしまう。
【０００９】
そのため、リップ部を突出させた略円筒状のパッキンを設けて構成される排水用配管の接続口部を塞ぐ蓋体としては、周囲のスペースに制限があっても、容易に接続口部から抜くことができるものが望まれる。
【００１０】
本発明は、上述の課題を解決するものであり、リップ部を備えたパッキンが配設されている接続口部を塞いだ後、抜くこととなっても、スペースを取らずに、容易に抜くことができる蓋体を提供することを目的とする。
【課題を解決するための手段】
【００１１】
本発明に係る蓋体は、内周側にリップ部を突出させた略円筒状のパッキンを設けて構成される排水用配管の接続口部に対し、抜き可能に挿入して、前記接続口部に所定の管体を接続させるまでの間、前記接続口部を塞いでおく仮差し蓋体であって、
前記接続口部内に嵌挿可能な円柱状の外周面を有した蓋本体と、
該蓋本体の周囲を覆うように配設される構成として、前記蓋本体の前記接続口部への挿入端側に底部を有し、前記蓋本体と一体的に、前記接続口部内に嵌挿可能な可撓性を有した袋状のカバーと、
を備えて構成されるとともに、
前記カバーが、
前記仮差し蓋体を前記接続口部内へ挿入した後に前記仮差し蓋体を抜く際、前記仮差し蓋体を前記接続口部から引き抜き可能とした前記パッキンの内周側に対する滑り性、若しくは、
前記仮差し蓋体を前記接続口部内へ挿入した後に前記仮差し蓋体の前記蓋本体を抜く際、前記蓋本体を前記接続口部から引き抜き可能とした前記蓋本体の外周面側に対する滑り性、
の少なくとも一方の前記滑り性、を有して構成されていることを特徴とする。
【００１２】
本発明に係る仮差し蓋体は、蓋本体にカバーを被せた状態で、接続口部内に押し込めば、接続口部内に挿入されて、接続口部を塞ぐことができる。その後、パッキンの内周側に対してカバーの所定の滑り性があれば、蓋本体にカバーを被せた状態で、そのまま引き抜くことができる。また、蓋本体の外周面側に対してカバーの所定の滑り性があれば、まず、カバーに滑らせつつ、蓋本体を接続口部から抜き、その後、内周側から蓋本体が外れた状態のカバーを接続口部から引き抜けば、カバーが可撓性を有しており、内側に撓みつつ、容易にカバーを接続口部から引き抜くことができる。
【００１３】
すなわち、仮差し蓋体を接続口部から抜く際には、単に、仮差し蓋体自体を引き抜いたり、あるいは、蓋本体とカバーとを、順次、別々に引き抜くだけで、容易に、接続口部から抜くことができ、接続口部近傍の周囲にスペースが無くとも、容易に、仮差し蓋体を接続口部から引き抜くことができる。
【００１４】
そして、本発明に係る仮差し蓋体では、カバーが、パッキンの内周側若しくは蓋本体の外周面側の少なくとも一方に対する所定の滑り性を有した合成樹脂材料から形成されていることが望ましい。
【００１５】
このような構成では、カバーが、別途、外周面や内周面に滑剤を塗布したりすることなく、所定の滑り性を確保できるため、使用時、単に、蓋本体にカバーを被せるだけで、仮差し蓋体として構成でき、取り扱いに便利となる。
【００１６】
さらに、本発明に係る仮差し蓋体では、排水用配管が、排水管継手として構成されるとともに、接続口部が、排水管継手における管体としての横枝管を接続させる横枝管接続口部として構成されてもよい。
【００１７】
このような構成では、接続口部が、横枝管を接続させる横枝管接続口部として構成されることなり、床に接近して配設されて、下方側にスペースが無くとも、容易に、仮差し蓋体を挿入させたり引き抜くことができて、排水機器等に接続される横枝管の設置前の横枝管接続口部を塞いでおくことや、その後の排水機器等の設置時における仮差し蓋体の引き抜き作業を、円滑に行うことができる。
【００１８】
また、この場合、横枝管接続口部に接続される横枝管が、横枝管における横枝管接続口部から離れた側と接続される排水機器と、排水管継手と、を仕切る仕切り壁、を貫通して配設される構成としていれば、蓋本体とカバーとは、横枝管接続口部を塞ぐように横枝管接続口部に挿入された状態として、仕切り壁における排水機器側に突出する長さ寸法を有する構成としていることが望ましい。
【００１９】
このような構成では、仮差し蓋体により横枝管接続口部を塞いだ状態として、仮差し蓋体を貫通させるように仕切り壁が設けられ、そしてその後に、排水機器に接続させる横枝管を、横枝管接続口部に接続させる状態となっても、円滑に、仮差し蓋体を横枝管接続口部から抜いて、その横枝管接続口部に対して、排水機器に接続させる横枝管を接続させることができる。すなわち、蓋本体とカバーとが、横枝管接続口部を塞ぐように横枝管接続口部に挿入された状態として、仕切り壁における排水機器側に突出する長さ寸法を有しており、仕切り壁から排水機器の設置側に突出している蓋本体とカバーとの端部を持って、容易に、仮差し蓋体自体を引き抜いたり、あるいは、蓋本体とカバーとを、順次、別々に引き抜くことができて、簡単に、横枝管接続口部から仮差し蓋体を抜くことができる。そのため、上記のような構成では、排水管継手側の排水システムが先に施工され、その後、例えば、排水管継手を設けたパイプシャフト側や共用部側と、排水機器を設置する住居専有部と、を区画する仕切り壁が施工され、さらに、その後に排水機器を設置するまで、排水管継手の横枝管接続口部を、異物が侵入しないように、塞いでおくことができ、また、塞いでいた後、簡単に、仮差し蓋体を抜くことができて、排水機器の設置作業を容易に行うことができる。
【００２０】
そして、本発明に係る仮差し蓋体では、カバーを、高密度ポリエチレンから形成することが望ましい。シート状（フィルム状）の高密度ポリエチレンは、引っ張っても破れ難く、また、カサカサした触感であることから、パッキンの内周側に対してのみならず、蓋本体の外周面側に対しても、接続口部から引き抜く所定の滑り性を確保し易い。
【００２１】
この場合、カバーは、シート状若しくはチューブ状の高密度ポリエチレン製フィルムの所定の縁を溶着して袋状にすることにより、形成してもよい。
【００２２】
すなわち、例えば、雨天時の店舗に並ぶ傘カバーやポリ袋が、一般的に、シート状若しくはチューブ状の高密度ポリエチレン製のフィルム材の所定の縁を溶着（熱溶着や高周波溶着）させて袋状に形成されており、このような傘カバーやポリ袋は、安価でかつ容易に、１００枚、２００枚単位で入手できることから、カバーとして、このような傘カバーやポリ袋を利用すれば、容易に入手できる。また、蓋本体としても、排水用配管の施工現場で端材となり易い塩ビ管等を利用できる。そのため、施工現場において、容易に接続口部の内径寸法に対応した塩ビ管等の端材からなる蓋本体を入手し、別途、蓋本体の外径寸法や長さ寸法に対応した傘カバーやポリ袋を持参等しておけば、容易に、本発明に係る仮差し蓋体を準備できて、所定の接続口部を塞ぐことができる。
【００２３】
また、カバーは、網地状の合成樹脂材から形成されていてもよい。このような網地材は、みかん等の果実や玉ねぎ等を収納するポリエチレンやポリオレフィン等の合成樹脂材料からなる棒ネット（包装用棒ネット・延伸棒ネット・伸縮棒ネット）や、ポリアミド製のストッキング（ナイロンストッキング）を利用して、形成することができ、上記の傘カバーやポリ袋と同様に、容易に入手して、カバーとして準備しておくことができる。
【００２４】
さらに、蓋本体が、パイプ材から構成される場合には、パイプ材の内周側は、袋状の前記カバーの底部、若しくは、前記パイプ材における前記接続口部から離れた端部側に取り付けられる閉塞材により、不透水性を有して閉塞される構成とすれば、仮差し蓋体を接続口部へ挿入した後、細かく小さな異物の接続口部内への侵入を防止できるとともに、接続口部内への水等の液体状の異物の侵入も防止することができる。
【発明の効果】
【００２５】
したがって、本発明に係る仮差し蓋体は、リップ部を備えたパッキンが配設されている接続口部を塞いだ後、抜くこととなっても、スペースを取らずに、容易に抜くことができる。
【図面の簡単な説明】
【００２６】
【図１】本発明に係る一実施形態の仮差し蓋体を排水管継手の横枝管接続口部へ挿入し、その後、仕切り壁が形成される状態を説明する概略縦断面図である。
【図２】実施形態の横枝管接続口部からパッキンを外した状態の接続口部、パッキン、及び、この接続口部に接続させる横枝管を示す概略断面図である。
【図３】実施形態のカバーを示す概略斜視図である。
【図４】実施形態の仮差し蓋体を、横枝管接続口部から引き抜く状態を説明する図であり、蓋本体とカバーとが一体的に引き抜かれる状態を示す。
【図５】実施形態の仮差し蓋体を、横枝管接続口部から引き抜く状態を説明する図であり、蓋本体とカバーとが、順次、別々に、引き抜かれる状態を示す。
【図６】実施形態の排水管継手の横枝管接続口部に対して、仮差し蓋体を挿入させた状態と、排水機器に接続させる横枝管を接続させた状態とを示す概略断面図である。
【図７】実施形態の他の排水管継手の横枝管接続口部に対して、仮差し蓋体を挿入させた状態と、床面に接近して配置される横枝管を接続させた状態とを示す概略断面図である。
【図８】実施形態のカバーの変形例を種々示す概略斜視図である。
【図９】実施形態の変形例の仮差し蓋体を示すもので、横枝管接続口部へ挿入した状態を示す概略断面図である。
【発明を実施するための形態】
【００２７】
以下、本発明の一実施形態を図面に基づいて説明すると、実施形態の仮差し蓋体３０は、図１や図６のＡ，Ｂに示すように、排水用配管としての排水管継手１０の横枝管接続口部１７に挿入して、所定の管体としての横枝管４１を接続させるまで、横枝管接続口部１７を塞いでおくように使用される。
【００２８】
排水管継手１０は、パイプシャフトＰＳ内に配設される排水を流下させるための排水システム５を構成するもので、コンクリートスラブＣＳの貫通孔を貫通するように配置されるとともに、モルタルＭにより埋め戻しされて配設される。実施形態の排水管継手１０は、上部継手部１１と下部継手部１２とを対応するフランジ部相互をボルト等により結合させて、形成されている。排水管継手１０には、上端に、立て管６を挿入させて、その立て管６を接続させる立て管接続口部１３が配設され、下端に、立て管７の受口部７ａに挿入させて、その立て管７と接続させる直管状の立て管接続部１４が配設されている。コンクリートスラブＣＳの上方位置には、横枝管４１を挿入させる横枝管接続口部１７が、配設されている。横枝管４１は、排水機器としての大便器４０からの汚水を横枝管接続口部１７を経て排水管継手１０内に流入させるものである。排水管継手１０は、流入させた汚水を、上方の立て管６から流下する汚水と同様に、下方の立て管７側へ流下させることとなる。
【００２９】
なお、大便器４０は、実施形態の場合、コンクリートスラブＣＳの上方に配置された床板２上に設置される。この大便器４０は、立て管６，７や排水管継手１０を接続させて排水システム５を構築し、そして、パイプシャフトＰＳや共用部（図示せず）と住居専有部ＩＦとを区画する仕切り壁１を形成し、また、床板２を設けた後の所定時期において、床板２上に設置されることとなる。
【００３０】
排水管継手１０の横枝管接続口部１７は、図１，２に示すように、略円筒形状として、先端には、内方へ狭まる段差部１７ａが形成されるとともに、先端面から内周面にかけて、パッキン２０が嵌められている。接続口部１７の元部側内周面の上縁側には、横枝管４１の接続時にその端面４１ｂを支持するストッパ部１８が形成され、ストッパ部１８における接続口部１７の先端部側の支持面１８ａには、ゴム等からなる横枝管受け部材１８ｂが固着されている。
【００３１】
パッキン２０は、ゴム等から形成される略円筒状として、図１，２に示すように、略円筒状の本体部２１と、本体部２１の先端側で周方向の全周から半径方向外方へ延びるように形成されるフランジ部２２と、本体部２１の元部側で周方向の全周に配設される薄肉のリップ部２３と、を備えて構成されている。フランジ部２２は、接続口部１７の段差部１７ａの外周面側に外嵌されるように、形成されている。リップ部２３は、横枝管４１とのシール性を確保するものであり、負荷をかけていない状態で、本体部２１の元部側端部から接続口部１７の元部側内方へ傾斜するように、突設されている。また、本体部２１におけるフランジ部２２とリップ部２３との間の内周面には、横枝管４１の外周面４１ａを支持するヒレ状の支持部２４が、周方向の全周にわたって形成されている。さらに、本体部２１の元部側端部には、周方向の全周から半径方向外方へ突出する抜け止め部２５が形成されている。この抜け止め部２５は、パッキン２０の装着後における接続口部１７からのパッキン２０の抜け止めを図るものであり、接続口部１７の元部側外方へ傾斜するように突設されて、パッキン２０の接続口部１７への装着時、段差部１７ａの段差面１７ｂから接続口部１７の元部側内周面にかけて、嵌め込まれることとなって、パッキン２０を接続口部１７に固着させる役目を果たし、また、接続口部１７の内周面をシールする役目も果たす。
【００３２】
また、パッキン２０のフランジ部２２の周囲には、パッキン２０の装着後における接続口部１７から露出する部位を熱等から保護するために、金属製の円環状としたカバー２６が外嵌されている。
【００３３】
なお、パッキン２０のリップ部２３は、横枝管４１の挿入が容易で、かつ、横枝管４１とのシール性が良好であれば、無負荷の状態で、傾斜することなく、本体部２１の内周面における周方向の全周から、パッキン２０の軸直交方向の半径方向内方へ突設されていても良い。
【００３４】
また、パッキン２０は、実施形態のような抜け止め部２５を備えていない略円筒形状として、略円筒状の接続口部１７の内周面に接着されて、配設されるものでも良い。
【００３５】
実施形態の仮差し蓋体３０は、蓋本体３２とカバー３４とから構成されている。蓋本体３２は、接続口部１７内に嵌挿可能な円柱状の外周面３２ａを備えたパイプ材としている。実施形態の場合、蓋本体３２は、接続口部１７に接続させる横枝管４１の外形寸法と同等の外形寸法を有した合成樹脂製のパイプ材から形成されている。詳しく述べれば、実施形態の蓋本体３２は、配管設備の施工に使用する塩ビ管（硬質塩化ビニル管）を切断加工した際に発生する端材を、適当な長さ寸法Ｌ（図１のＣ参照）に切断して、形成している。
【００３６】
なお、この長さ寸法Ｌは、接続口部１７を塞ぐように、先端３０ａをストッパ部１８の横枝管受け部材１８ｂに当接させるように、仮差し蓋体３０を接続口部１７に挿入させて、接続口部１７を仮差し蓋体３０により塞いだ際、元部端３０ｂ（蓋本体３２の元部端３２ｃ）が、突出長さ寸法Ｐとして８０〜１５０ｍｍ程度、仕切り壁１から住居専有部ＩＦ側に突出する寸法としている。ちなみに、カバー３４は、蓋本体３２の長さ寸法Ｌと同等、若しくは、蓋本体３２の長さ寸法Ｌより長いことが望ましいが、仕切り壁１から突出していれば、後述する図５のＡ〜Ｃのように、蓋本体３２を抜いた後に、カバー３４を抜くことができることから、蓋本体３２より短い長さ寸法としてもよい。
【００３７】
また、蓋本体３２は、通常の排水用配管としての排水管継手の横枝管接続口部に接続される横枝管の呼び径が、例えば、１００，８０，６５，５０等の複数種類あれば、それらに対応した外径寸法の端材から、形成すればよい。
【００３８】
カバー３４は、蓋本体３２の周囲を覆うように配設される構成として、蓋本体３２の接続口部１７への挿入端３２ｂ側に底部３４ｂを有し、蓋本体３２と一体的に、接続口部１７内に嵌挿可能な可撓性を有した袋状としている。このカバー３４は、実施形態の場合、仮差し蓋体３０を接続口部１７内へ挿入した後における仮差し蓋体３０を抜く際、仮差し蓋体３０を接続口部１７から引き抜き可能としたパッキン２０の内周２０ａ側に対する滑り性と、仮差し蓋体３０を接続口部１７内へ挿入した後における仮差し蓋体３０の蓋本体３２を抜く際、蓋本体３２を接続口部１７から引き抜き可能とした蓋本体３２の外周面３２ａ側に対する滑り性と、を有して構成されている。
【００３９】
実施形態の場合、このカバー３４は、シート状の高密度ポリエチレン（ＨＤＰＥ）製のフィルム材を溶着（熱溶着や超音波溶着）し、袋状に形成することにより、構成されている。具体的には、横枝管４１の呼び径を８０とした接続口部１７に対応した蓋本体３２は、外径寸法を約９０ｍｍ程度としていればよく、その場合、カバー３４は、厚さ寸法を０．０１〜０．０３ｍｍ程度（実施形態の厚さ寸法は０．０１２ｍｍ）とし、幅寸法を１４０ｍｍ程度とし、長さ寸法を１５００ｍｍ程度としたＨＤＰＥフィルムを二つ折りし、折目側を底部３４ｂとして、開口３４ａの両縁側となる折り重ねた両縁３４ｃ，３４ｄ相互を熱溶着して溶着部３５を設ければ、形成できる（図３参照）。
【００４０】
なお、このカバー３４は、実施形態の場合、雨天時の店舗の入口付近で束となって吊り下げられるように提供され、来店者が、適宜、開口３４ａ側のノッチ部を破断させて、畳んだ傘を収納可能な袋状とした傘カバーから形成されている。
【００４１】
実施形態の仮差し蓋体３０では、図１のＡ〜Ｃに示すように、開口３４ａからカバー３４を蓋本体３２に被せた状態で、カバー３４の底部３４ｂ側を蓋本体３２の先端３２ｂ側と一体的に接続口部１７内に挿入させて、先端３０ａ側をストッパ部１８の横枝管受け止め部材１８ｂに当接させれば、接続口部１７に挿入された仮差し蓋体３０によって、接続口部１７が塞がれる。そしてその後、実施形態では、仕切り壁１や床板２が設けられて（図１のＣ，図６参照）、排水機器としての大便器４０が設置される施工段階となれば、仮差し蓋体３０を抜く必要が生ずる。
【００４２】
その際、パッキン２０の内周２０ａ側に対するカバー３４の滑り性を考慮すれば、図４のＡ，Ｂに示すように、蓋本体３２にカバー３４を被せた状態で、そのまま引き抜くことができる。
【００４３】
あるいは、蓋本体３２の外周面３２ａ側に対するカバー３４の滑り性を考慮すれば、まず、図５のＡ，Ｂに示すように、カバー３４に滑らせつつ、蓋本体３２を接続口部１７から抜き、その後、図５のＢ，Ｃに示すように、内周２０ａ側から、蓋本体３２が外れた状態のカバー３４を接続口部１７から引き抜けば、カバー３４が可撓性を有しており、内側に撓みつつ、容易にカバー３４を接続口部１７から引き抜くことができる。
【００４４】
すなわち、仮差し蓋体３０を接続口部１７から抜く際には、単に、仮差し蓋体３０自体を引き抜いたり、あるいは、蓋本体３２とカバー３４とを、順次、別々に引き抜くだけで、容易に、接続口部１７から抜くことができ、接続口部近傍の周囲にスペースが無くとも、容易に、仮差し蓋体３０を接続口部１７から引き抜くことができる。
【００４５】
したがって、実施形態の仮差し蓋体３０では、リップ部２３を備えたパッキン２０が配設されている接続口部１７を塞いだ後、抜くこととなっても、スペースを取らずに、容易に抜くことができる。
【００４６】
なお、実施形態の場合、カバー３４が、パッキン２０の内周２０ａ側から仮差し蓋体３０を引き抜き可能な滑り性を有し、かつ、蓋本体３２を引き抜き可能な蓋本体３２の外周面３２ａに対する滑り性を有する構成としたが、どちらか一方の滑り性を有していればよい。その場合、図４のＡ，Ｂに示す工程、あるいは、図５のＡ〜Ｃに示す工程のどちらか一方により、仮差し蓋体３０を接続口部１７から引き抜くことができる。
【００４７】
そして、実施形態の仮差し蓋体３０では、カバー３４が、パッキン２０の内周２０ａ側若しくは蓋本体３２の外周面３２ａ側の少なくとも一方に対する所定の滑り性を有した合成樹脂材料としての高密度ポリエチレンから形成されている。
【００４８】
そのため、実施形態では、カバー３４が、別途、外周面や内周面に滑剤を塗布したりすることなく、所定の滑り性を確保できるため、使用時、単に、蓋本体３２にカバー３４を被せるだけで、仮差し蓋体３０として構成でき、取り扱いに便利となる。
【００４９】
さらに、実施形態の仮差し蓋体３０では、排水用配管が、排水管継手１０として構成されるとともに、接続口部１７が、排水管継手１０における管体としての横枝管４１を接続させる横枝管接続口部１７として構成されている。
【００５０】
すなわち、図６のＡ，Ｂや図７のＡ，Ｂに示す排水管継手１０，１０Ａのように、接続口部１７，１７Ａが、横枝管４１，４２を接続させる横枝管接続口部として構成されることなる。そのため、図７のＡ，Ｂに示す排水管継手１０Ａのように、接続口部１７Ａがコンクリートスラブ（床）ＣＳに接近して配設されて、下方側にスペースが無くとも、容易に、仮差し蓋体３０を挿入させたり引き抜くことができて、排水機器等に接続される横枝管４２の設置前の横枝管接続口部１７Ａの閉塞や、その後の排水機器等の設置時における仮差し蓋体３０の引き抜き作業を、円滑に行うことができる。
【００５１】
また、この場合、実施形態が、横枝管接続口部１７に接続される横枝管４１が、横枝管４１における横枝管接続口部１７から離れた側と接続される排水機器としての大便器４０と、排水管継手１０と、を仕切る仕切り壁１、を貫通して配設される構成としていれば、蓋本体３２とカバー３４とは、横枝管接続口部１７を閉塞するように横枝管接続口部１７に挿入された状態として、仕切り壁１における大便器４０側に突出する長さ寸法Ｌを有する構成としている。
【００５２】
そのため、実施形態では、図１のＢ，Ｃや図６のＡに示すように、仮差し蓋体３０により横枝管接続口部１７を塞いだ状態として、仮差し蓋体３０を貫通させるように仕切り壁１が設けられ、そしてその後に、大便器４０に接続させる横枝管４１を、横枝管接続口部１７に接続させる状態となっても、円滑に、住居専有部ＩＦ側の元部端３０ｂ（３２ｃ）側を把持し、仮差し蓋体３０を横枝管接続口部１７から抜いて、その横枝管接続口部１７に対して、仕切り壁１の貫通孔１ａを経て、大便器４０に接続させる横枝管としてのいわゆる便器接続管又は器具排水管４１を接続させることができる。すなわち、蓋本体３２とカバー３４とが、横枝管接続口部１７を閉塞するように横枝管接続口部１７に挿入された状態として、元部端３０ｂ，３２ｃが、仕切り壁１における大便器４０側の住居専有部ＩＦ側に突出する長さ寸法Ｌを有しており、仕切り壁１から排水機器としての大便器４０の設置側に突出している蓋本体３２とカバー３４との端部（元部端）３０ｂ，３２ｃ側を持って、容易に、仮差し蓋体３０自体を引き抜いたり、あるいは、蓋本体３２とカバー３４とを、順次、別々に引き抜くことができて、簡単に、横枝管接続口部１７から仮差し蓋体３０を抜くことができる。そのため、実施形態では、排水管継手１０側の排水システム５が先に施工され、その後、例えば、排水管継手１０を設けたパイプシャフトＰＳ側や共用部側と、大便器４０等の排水機器を設置する住居専有部ＩＦと、を区画する仕切り壁１が施工され、さらに、その後に排水機器を設置するまで、排水管継手１０の横枝管接続口部１７を、異物が侵入しないように、塞いでおくことができ、また、塞いでいた後、簡単に、仮差し蓋体３０を抜くことができて、排水機器の設置作業を容易に行うことができる。
【００５３】
そして、実施形態の仮差し蓋体３０が、カバー３４を、高密度ポリエチレンから形成されている。このようなシート状（フィルム状）の高密度ポリエチレンは、引っ張っても破れ難く、また、伸びも少なく、カサカサした触感であることから、パッキン２０の内周２０ａ側に対してのみならず、蓋本体３２の外周面３２ａ側に対しても、接続口部１７，１７Ａから引き抜く所定の滑り性を確保し易い。
【００５４】
特に、実施形態では、カバー３４が、シート状の高密度ポリエチレン製フィルムの所定の縁３４ｃ，３４ｄを溶着した溶着部３５を設けて、袋状に形成されている。
【００５５】
そのため、例えば、雨天時の店舗に並ぶ傘カバーやポリ袋が、一般的に、高密度ポリエチレン製のフィルム材の所定の縁を熱溶着させて袋状に形成されており、このような傘カバーやポリ袋は、安価でかつ容易に、１００枚、２００枚単位で入手できることから、カバー３４として、このような傘カバーやポリ袋を利用すれば、容易に入手できる。また、蓋本体３２としても、排水用配管の施工現場で端材となり易い塩ビ管等を利用できる。そのため、施工現場において、容易に接続口部１７，１７Ａの内径寸法に対応した塩ビ管等の端材からなる蓋本体３２を入手し、別途、蓋本体３２の外径寸法や長さ寸法に対応した傘カバーやポリ袋を持参等しておけば、容易に、本発明に係る仮差し蓋体３０を準備できて、所定の接続口部１７，１７Ａを塞ぐことができる。
【００５６】
なお、実施形態では、横枝管４１，４２を接続させる横枝管接続口部１７，１７Ａを塞ぐ仮差し蓋体について、説明したが、立て管６を接続させる立て管接続口部１３にも、パッキン２０と同様なパッキンが配設されており、そして、このような立て管接続口部１３を塞ぐように、仮差し蓋体を使用してもよい。
【００５７】
また、カバーとしては、所定のシート状の高密度ポリエチレン（ＨＤＰＥ）製のフィルム材を溶着（熱溶着や超音波溶着）し、袋状に形成する場合には、図８のＡに示すカバー３４Ａのように、シート状のフィルム材を折り返し、底部３４ｂ側の縁３４ｅと側方の縁３４ｄとを溶着してＬ字状の溶着部３５を設けて、袋状に形成したり、あるいは、図８のＢに示すカバー３４Ｂのように、シート状のフィルム材を折って、封筒貼りするように、底部３４ｂ側の縁３４ｅと重ねた周縁３４ｆ相互に溶着部３５を設けて、袋状に形成してもよい。さらに、図８のＣに示すカバー３４Ｃのように、チューブ状の高密度ポリエチレン（ＨＤＰＥ）製のフィルム材を、カットしつつ、底部３４ｂ側の縁３４ｅを溶着して、袋状に形成してもよい。
【００５８】
さらに、カバー３４としては、所定の滑り性を確保する構成として、例えば、パッキン２０のリップ部２３に対する密着性を阻害するために、パッキン２０との間に微小の隙間を設けるように、伸びの少ない合成樹脂製シート（フィルム）にエンボス加工を施して、カバーを形成してもよい。
【００５９】
さらにまた、カバーとしては、高密度ポリエチレン（ＨＤＰＥ）製のフィルム材の他、引っ張っても破れ難く、そして、滑り性と可撓性とを備えていれば、図９に示すように、網地状の合成樹脂材から形成されるカバー３４Ｄを使用してもよい。このような網地材からなるカバー３４Ｄは、みかん等の果実や玉ねぎ等を収納するポリエチレンやポリオレフィン等の合成樹脂材料からなる棒ネット（包装用棒ネット・延伸棒ネット・伸縮棒ネット）や、ポリアミド製のストッキング（ナイロンストッキング）を利用して、形成することができ、上記の傘カバーやポリ袋と同様に、容易に入手して、カバー３４Ｄとして準備しておくことができる。
【００６０】
なお、図９に示すカバー３４Ｄは、ポリエチレン製の棒ネットから形成されており、所定長さの筒状とした棒ネットの一方の端末を、結んだり溶着させる等して閉じて、底部３４ｂを設け、他方の端末を、そのままとして、蓋本体３２Ｄを挿入する開口３４ａとするようにして、形成されている。蓋本体３２Ｄは、硬質塩化ビニル管等のパイプ材３３ａと、元部端３２ｃ側の内周を塞ぐように元部端３２ｃに嵌める閉塞材としてのキャップ３３ｂと、から構成されている。キャップ３３ｂは、パイプ材３３ａと同様に、硬質塩化ビニル等の合成樹脂材料から形成されている。
【００６１】
また、図１〜６に示す実施形態の仮差し蓋体３０のように、蓋本体３２がパイプ材だけから構成される場合には、袋状のカバー３４の底部３４ｂにより、蓋本体３２の内周側が、不透水性を有して閉塞される構成となる。そのため、この仮差し蓋体３０では、接続口部１７へ挿入した後、細かく小さな異物の接続口部１７内への侵入を防止できるとともに、接続口部１７内への水等の液体状の異物の侵入も防止することができる。
【００６２】
一方、図９に示す仮差し蓋体３０Ｄでは、蓋本体３２Ｄが、パイプ材３３ａと、パイプ材３３ａの元部端３２ｃ側の内周を塞ぐ閉塞材としてのキャップ３３ｂと、から構成されている。すなわち、この仮差し蓋体３０Ｄでは、蓋本体３２Ｄを構成するパイプ材３３ａの内周側が、接続口部１７から離れた元部端３２ｃ側に取り付けられるキャップ（閉塞材）３３ｂにより、不透水性を有して閉塞される。そのため、透水性を有した網地状のカバー３４Ｄを使用した仮差し蓋体３０Ｄでも、接続口部１７へ挿入すれば、キャップ３３ｂにより、細かく小さな異物の接続口部１７内への侵入を防止できるとともに、接続口部１７内への水等の液体状の異物の侵入も防止することができる。
【００６３】
なお、接続口部１７内への液体状の異物の侵入防止を考慮しなければ、図９の仮差し蓋体３０Ｄにおいて、閉塞材３３ｂを省いてもよい。そして、閉塞材３３ｂを使用しない場合において、細かく小さな異物の接続口部１７内への侵入防止を図るためには、網地状のカバー３４Ｄとして、網目が極力小さなものを使用するようにすれば（例えば、棒ネットやストッキングの網目の小さなものを利用し、その棒ネットやストッキングの所定部位を、切断したり結んだり、あるいは、溶着等して袋状にして、カバー３４Ｄを形成すれば）、容易に対処できる。
【符号の説明】
【００６４】
１…仕切り壁、
１０，１０Ａ…（排水用配管）排水管継手、１７，１７Ａ…横枝管接続口部、２０…パッキン、２０ａ…内周、２３…リップ部、
３０，３０Ｄ…仮差し蓋体、３０ａ…先端、３０ｂ，３２ｃ…元部端、３２，３２Ｄ…蓋本体、３３ａ…パイプ材、３３ｂ…（閉塞材）キャップ、３２ａ…外周面、３２ｂ…先端、３４，３４Ａ，３４Ｂ，３４Ｃ，３４Ｄ…カバー、３４ｂ…底部、３４ｃ，３４ｄ，３４ｅ，３４ｆ…縁、３５…溶着部、
４０…（排水機器）大便器、
４１，４２…（管体）横枝管。
【図１】
2017014779.tif 000003
【図２】
2017014779.tif 000004
【図３】
2017014779.tif 000005
【図４】
2017014779.tif 000006
【図５】
2017014779.tif 000007
【図６】
2017014779.tif 000008
【図７】
2017014779.tif 000009
【図８】
2017014779.tif 000010
【図９】
2017014779.tif 000011